(57)【要約】      （修正有） 【課題】標的となる風船に接触した際に、風船を確実に割ることのできる遊技用発射体を提供する。【解決手段】標的に向けて発射具によって発射され、棒状に形成された発射体本体部１３を備えた遊技用発射体１０であって、発射体本体部１３の飛翔方向先端部１４には、研磨材粒子が固着された研磨材部１５が形成されている。【選択図】図１
0003198312.tif 000002
【実用新案登録請求の範囲】
【請求項１】
標的に向けて発射具によって発射され、棒状に形成された発射体本体部を備えた遊技用発射体であって、前記発射体本体部の飛翔方向先端部には、研磨材粒子が固着された研磨材部が形成されていることを特徴とする遊技用発射体。
【請求項２】
前記発射体本体部は、短円筒形状の柔軟な多孔質体により形成されると共に、前記飛翔方向先端部は平端面として形成されており、前記研磨材部は、紙やすりにより形成され、前記飛翔方向先端部の平端面に接着固定されていることを特徴とする請求項１に記載の遊技用発射体。
【請求項３】
前記発射体本体部の飛翔方向先端部には、錘部を備えていることを特徴とする請求項２に記載の遊技用発射体。
【請求項４】
前記発射具は、銃玩具であることを特徴とする請求項３に記載の遊技用発射体。
【考案の詳細な説明】
【技術分野】
【０００１】
本考案は、遊技あるいは競技に用いられ発射具によって発射される発射体に関する。
【背景技術】
【０００２】
従来より、敵味方チームに分かれ戦闘を模して、エアソフトガン等の模擬銃によって直径６ｍｍ程のプラスチック製の弾を撃ち合う、所謂サバイバルゲームが行われており、アメリカにおいてはエアソフトと呼ばれて楽しまれている。一般に、サバイバルゲームにおいては、敵チームの人員に撃たれた人員は、自己申告により被弾したことを宣言し、模擬戦闘より離脱する。
【０００３】
しかしながら、被弾しても怪我をしないよう参加者はゴーグル、ヘルメット、防護服等の装備を整えてゲームに参加する場合が多く、例えば、ゲーム中に被弾しても気づかないといった事態も発生し、競技としては公平とは言えなかった。また、サバイバルゲームのフィールドは、周囲への安全を確保するために山林等の広い敷地が必要であり、開催場所は限られるものであった。
【０００４】
一方で、直径１５ｍｍ程の円筒形状のソフトスポンジ製の弾体を発射することができる銃玩具も存在し、上記銃玩具は、弾体が柔軟であり安全性が高く、例えば、体育館や会議室等の室内でも、遊技や競技に用いることができる。
【０００５】
最近では弾体の先端部にマジックテープ（登録商標）や吸盤を配して、弾体の到達箇所に保持され、弾体の接触を判別することができるものも開発されている。このような弾体であれば、被弾の有無を公平に判定することができる。
【０００６】
しかしながら、ソフトスポンジ製の弾体を発射し、先端部に設けられたマジックテープ（登録商標）や吸盤によって到達箇所に保持されるだけでは、競技中の緊張感がなく、競技について興味を惹きつけるものとはならなかった。
【０００７】
そこで、本考案者は、競技参加者に風船を装備させて、当該風船を狙って弾体を発射し、風船が割れることにより被弾したものとみなすような競技とすることを考えた。このような方法においては、風船が割れたことを視覚と聴覚を通じて認識することができるため、公平であり、且つ、風船の割れる衝撃や音による緊張感を備えた魅力ある競技となる。
【０００８】
このような方法による競技に用いられる発射体は、発射体が風船に接触した際に、確実に風船が割れることが求められる。
【０００９】
本考案者は、このような観点から特許調査を行ない、特許文献１及び特許文献２を抽出したが、いずれも風船を割ることを想定した発射体に関するものではなかった。
【特許文献１】公開実用新案第昭和５７−４０８９６号公報
【特許文献２】公開特許公報第平８−３５８００号公報
【考案の開示】
【考案が解決しようとする課題】
【００１０】
そこで、本考案は、このような従来の要請に基づくものであって、標的となる風船に接触した際に、風船を確実に割ることのできる遊技用発射体を提供することを課題とする。
【課題を解決するための手段】
【００１１】
前記課題を解決するために、請求項１に記載の遊技用発射体にあっては、標的に向けて発射具によって発射され、棒状に形成された発射体本体部を備えた遊技用発射体であって、前記発射体本体部の飛翔方向先端部には、研磨材粒子が固着された研磨材部が形成されていることを特徴とする。
【００１２】
従って、請求項１に記載の遊技用発射体にあっては、棒状に形成された発射体本体部を備えていることから軸方向に沿って飛翔する。また、発射体本体部の飛翔方向先端部には、研磨材粒子が固着された研磨材部が形成されていることから、標的に命中した際には、研磨材部と標的とが互いに接触する。
【００１３】
請求項２に記載の遊技用発射体にあっては、前記発射体本体部は、短円筒形状の柔軟な多孔質体により形成されると共に、前記飛翔方向先端部は平端面として形成されており、前記研磨材部は、紙やすりにより形成され、前記飛翔方向先端部の平端面に接着固定されていることを特徴とする。
【００１４】
従って、請求項２に記載の遊技用発射体にあっては、前記飛翔方向先端部は平端面として形成されており、前記研磨材部は、紙やすりにより形成されていることから、命中した際には、紙やすりの研磨材面と標的とが互いに接触する。
【００１５】
請求項３に記載の遊技用発射体にあっては、前記発射体本体部の飛翔方向先端部には、錘部を備えていることを特徴とする。
【００１６】
従って、請求項３に記載の遊技用発射体にあっては、錘部を備えていることから、錘部の重量を調整して全体の重量バランスを適正化することにより、飛翔姿勢を安定化させることができる。
【００１７】
請求項４に記載の遊技用発射体にあっては、前記発射具は、銃玩具であることを特徴とする。
【考案の効果】
【００１８】
請求項１に記載の遊技用発射体にあっては、軸方向に沿って飛翔し、標的に命中した際には、研磨材部と標的とが互いに接触する。従って、標的として風船を使用する際には、風船に接触した際に、確実に風船を割ることができる。
【００１９】
その結果、請求項１記載の考案に係る遊技用発射体が、例えば、サバイバルゲーム等に使用された場合には、被弾の有無を公平、客観的、確実に判断することができゲームの興趣を高めることができる。
【００２０】
請求項２に記載の遊技用発射体にあっては、柔軟な多孔質体により形成されているため、仮に、プレーヤに接触した場合であっても怪我することなく安全で、物に接触して破損させる心配もないため、遊技及び競技の開催場所が種々選択可能となる。また、研磨材の面の何れか箇所が風船に接触することにより、風船を割ることができるため、より確実に風船を割ることができる。
【００２１】
請求項３に記載の遊技用発射体にあっては、錘部の重量を調整して全体の重量バランスを適正化することにより、飛翔姿勢を安定化させることができるため、飛翔距離を大きくすることができる。従って、発射体本体部には柔軟な多孔質体を用いた場合には、安全で且つ飛翔距離の大きい遊技用発射体が得られ、遊戯及び競技の規則設定の幅が広がり、種々の規則設定を選択可能となる。
【００２２】
請求項４に記載の遊技用発射体にあっては、前記発射具は、銃玩具であるため、例えば、従来よりの銃玩具で撃ち合うサバイバルゲームのような感覚で競うことが可能である。
【図面の簡単な説明】
【００２３】
【図１】図１は、本考案に係る遊技用発射体の一実施の形態を示した斜視図である。
【図２】図２は、本考案に係る遊技用発射体の一実施の形態を示し、図１におけるＡ−Ａ矢視断面図である。
【図３】図３は、本考案に係る遊技用発射体の一実施の形態を示し、遊技用発射体を銃玩具より風船を目掛けて発射した状態を示した概念図である。
【考案を実施するための最良の形態】
【００２４】
以下、本考案に係る遊技用発射体を実施の形態に基づき、図面を参照して詳細に説明する。
【００２５】
図３に示すように、本実施の形態に係る遊技用発射体１０は、標的１１に向けて発射具１２によって発射される。本実施の形態においては、標的１１は風船であり、発射具１２は銃玩具である。風船１１は空気を充填した状態において、吹込口（図示せず）を封止され、風船ホルダー１８に固定されている。
【００２６】
図１に示すように、本実施の形態においては、遊技用発射体１０は銃玩具１２の弾丸である。遊技用発射体１０は、棒状に形成された発射体本体部１３を備えており、発射体本体部１３の飛翔方向先端部１４には、研磨材粒子が固着された研磨材部１５が形成されている。
【００２７】
発射体本体部１３は、短円筒形状の柔軟な多孔質体により形成される。本実施の形態においては、柔軟な多孔質体はスポンジである。飛翔方向先端部１４は円形の平端面として形成されており、本実施の形態にあっては、研磨材部１５は、紙やすりにより形成されている。
【００２８】
紙やすり１５は、「ＪＩＳＲ ６０１０：２０００研磨布紙用研磨材」によって種々の目の粗さのものが定義されており、本実施の形態においては目の粗さ２４０番のものを用いている。
【００２９】
ここで、「ＪＩＳ Ｒ ６０１０：２０００研磨布紙用研磨材」における目の粗さ２４０番の研磨材とは、最大粒子径１１０μｍ以下で、且つ、水中での累積沈降高さ３％の粒子径８１．７μｍ以下、累積沈降高さ５０％の粒子径５８．５±２．０μｍ及び累積沈降高さ９５％の粒子径４４．５μｍ以上のものと定義されている。
【００３０】
図１に示すように、発射体本体部１３は、長さ寸法７０ｍｍ、直径１３ｍｍに形成されている。紙やすり１５は、裏面に形成された紙面が飛翔方向先端部１４の平端面に接着固定され、研磨材粒子が固着された表面は飛翔方向に露出している。
【００３１】
図２に示すように、発射体本体部１３の飛翔方向先端部１４には、錘部１６を備えている。本実施の形態においては、錘部１６は、発射体本体部１３の径方向中央に内装されたプラスチック製の球体１６ａ及び発射体本体部１３の周面部に巻装されたテープ１６ｂである。
【００３２】
プラスチック製の球体１６ａは、直径６ｍｍに形成されており、飛翔方向先端部１４の平端面より発射体本体部１３の長さ方向に沿って直径及び深さが６ｍｍの円筒形状に形成された空隙部１９内方に備えられている。また、テープ１６ｂは、裏面に粘着層を備えており、発射体本体部１３の飛翔方向先端部１４に周方向に沿って巻きつけられて粘着固定されている。
【００３３】
以下、本実施の形態に係る遊技用発射体の作用について、図面を参照して詳細に説明する。
【００３４】
図３に示すように、本実施の形態に係る遊技用発射体１０は、以上のように構成されていることから、紙やすり１５が固定された面を飛翔方向先端部１４となるように銃玩具１２に込めて、発射することにより、図３において直線矢印にて示すように、発射体本体部１３の軸方向に沿って飛翔させることができる。
【００３５】
図２に示すように、発射体本体部１３の飛翔方向先端部１４は、プラスチック製の球体１６ａ及びテープ１６ｂが備えられており、飛翔方向後端部１７側よりも重量が若干大きく形成されているため、発射した際の飛翔姿勢が安定化し、同じ銃玩具で発射したときに、より遠くまで飛翔させることができる。
【００３６】
また、遊技用発射体１０が風船１１に命中した際には、発射体本体部１３の飛翔方向先端部１４に固定された紙やすり１５の研磨材粒子が風船１１の表面に衝接することにより、風船１１を確実に割ることができる。
【００３７】
本考案者は、種々の目の粗さの紙やすりを試し、目の粗さが粗い方が、風船１１に接触した際に、風船１１を割ることができる確率が高いことを確認しており、本実施の形態においては、２４０番のものを用いている。
【００３８】
前記実施の形態においては、遊技用発射体１０は、銃玩具１２の弾丸である例を説明したが、これに限定されるものではなく、例えば、アーチェリの矢であっても良い。
【産業上の利用可能性】
【００３９】
本考案に係る遊技用発射体は、例えば、サバイバルゲームのフィールドにおいて発射具と共に利用することが可能であり、産業上の利用可能性を有している。
【符号の説明】
【００４０】
１０    遊技用発射体
１１    標的（風船）
１２    発射具（銃玩具）
１３    発射体本体部
１４    飛翔方向先端部
１５    研磨材部（紙やすり）
１６    錘部
１６ａ  プラスチック製の球体
１６ｂ  テープ
１７    飛翔方向後端部
１８    風船ホルダー
１９    空隙部
【図１】
0003198312.tif 000003
【図２】
0003198312.tif 000004
【図３】
0003198312.tif 000005